(57)【要約】      （修正有）【課題】カバー部材をエアゾール容器から取り外すことなく容易にノズル体を取り外して洗浄可能とした吐出具を提供する。【解決手段】エアゾール容器２のステム２５に接続されるステム接続部及び該ステム接続部に連通する吐出筒３１を有し、ステム２５の押し下げによりエアゾール容器２に収容された内容物を吐出筒３１の先端３１ａから吐出可能としたノズル体３と、エアゾール容器２に装着されて吐出筒３１の先端３１ａを前方に突出させつつノズル体３を取り囲むカバー体４と、を備え、カバー体４は、前方に設けたヒンジ部６５を介して揺動自在にカバー体４と一体連結され、ノズル体３とともにステム２５を押し下げ可能な操作片６６を有し、操作片６６には、ヒンジ部６５を支点として前方に揺動させた展開状態でノズル体３を通過可能とする開口部６６ａが形成されていることを特徴とする。【選択図】図１
2017030801.tif 000002
【特許請求の範囲】
【請求項１】
エアゾール容器のステムに接続されるステム接続部及び該ステム接続部に連通する吐出筒を有し、前記ステムの押し下げにより前記エアゾール容器に収容された内容物を前記吐出筒の先端から吐出可能としたノズル体と、
前記エアゾール容器に装着されて前記吐出筒の先端を前方に突出させつつ前記ノズル体を取り囲むカバー体と、を備え、
前記カバー体は、前方に設けたヒンジ部を介して揺動自在に該カバー体と一体連結され、前記ノズル体とともに前記ステムを押し下げ可能な操作片を有し、
該操作片には、前記ヒンジ部を支点として前方に揺動させた展開状態で前記ノズル体を通過可能とする開口部が形成されていることを特徴とする吐出具。
【請求項２】
前記ヒンジ部が、前記操作片を押し下げる際に前記操作片と前記ノズル体とが最初に当接する接点と、最大まで前記操作片を押し下げた状態での前記操作片と前記ノズル体との接点との中間点の高さに位置する、請求項１に記載の吐出具。
【請求項３】
前記エアゾール容器が２本の前記ステムを備える、請求項１又は２に記載の吐出具。
【請求項４】
前記操作片の下面には、略球面状の凸部が設けられ、
前記ノズル体の上面には、該凸部が当接する略球面状の凹部が設けられている、請求項１〜３の何れか一項に記載の吐出具。
【請求項５】
前記凸部及び前記凹部が、前記ステムの真上に位置する、請求項４に記載の吐出具。
【請求項６】
前記凹部の内面の曲率半径が、前記凸部の外面の曲率半径よりも大きい、請求項４又は５に記載の吐出具。
【発明の詳細な説明】
【技術分野】
【０００１】
本発明は、内容物を収容するエアゾール容器に装着される吐出具に関する。
【背景技術】
【０００２】
従来、内容物とともに加圧ガスを収容しておき、ステムを押し下げることで内容物を外部に吐出させるようにしたエアゾール容器としては、１つの容器内に一の内容物を収容するとともに１本のステムを有するシングルタイプの容器や、シングルタイプの容器を左右に並べて１組とした二連式タイプの容器（例えば特許文献１）の他、１つの容器内に２種類の内容物を別個に収容するとともに２本のステムを有する容器が知られている。
【０００３】
例えば特許文献１には、エアゾール容器に装着される固定盤と、固定盤に取付けられるカバー部材と、カバー部材の内側でエアゾール容器のステムに着脱可能に装着されるノズル体とを備え、カバー部材にヒンジを介して設けた操作片によってノズル体を押し下げることにより吐出筒から内容物を吐出する構成のエアゾール容器用吐出具が記載されている。
【先行技術文献】
【特許文献】
【０００４】
【特許文献１】特開２００３−３４３７４号公報
【発明の概要】
【発明が解決しようとする課題】
【０００５】
しかしながら、特許文献１に記載の吐出具では、ノズル体を洗浄するためには、カバー部材を取外してからノズル体を取出す必要があるため、ノズル体を洗浄する際の作業が煩雑であった。
【０００６】
それゆえ、本発明は、カバー部材をエアゾール容器から取り外すことなく容易にノズル体を取り外して洗浄可能とした吐出具を提供することを目的とする。
【課題を解決するための手段】
【０００７】
本発明は上記課題を解決するためになされものであり、本発明の吐出具は、エアゾール容器のステムに接続されるステム接続部及び該ステム接続部に連通する吐出筒を有し、前記ステムの押し下げにより前記エアゾール容器に収容された内容物を前記吐出筒の先端から吐出可能としたノズル体と、
前記エアゾール容器に装着されて前記吐出筒の先端を前方に突出させつつ前記ノズル体を取り囲むカバー体と、を備え、
前記カバー体は、前方に設けたヒンジ部を介して揺動自在に該カバー体と一体連結され、前記ノズル体とともに前記ステムを押し下げ可能な操作片を有し、
該操作片には、前記ヒンジ部を支点として前方に揺動させた展開状態で前記ノズル体を通過可能とする開口部が形成されていることを特徴とするものである。
【０００８】
なお、本発明の吐出具にあっては、前記ヒンジ部が、前記操作片を押し下げる際に前記操作片と前記ノズル体とが最初に当接する接点と、最大まで前記操作片を押し下げた状態での前記操作片と前記ノズル体との接点との中間点の高さに位置することが好ましい。
【０００９】
また、本発明の吐出具にあっては、前記エアゾール容器が２本の前記ステムを備えることが好ましい。
【００１０】
また、本発明の吐出具にあっては、前記操作片の下面には、略球面状の凸部が設けられ、
前記ノズル体の上面には、該凸部が当接する略球面状の凹部が設けられていることが好ましい。
【００１１】
また、本発明の吐出具にあっては、前記凸部及び前記凹部が、前記ステムの真上に位置することが好ましい。
【００１２】
また、本発明の吐出具にあっては、前記凹部の内面の曲率半径が、前記凸部の外面の曲率半径よりも大きいことが好ましい。
【発明の効果】
【００１３】
本発明によれば、カバー部材をエアゾール容器から取り外すことなく容易にノズル体を取り外して洗浄可能とした吐出具を提供することが可能となる。
【図面の簡単な説明】
【００１４】
【図１】本発明の第１実施形態に係る吐出具をエアゾール容器に装着した状態を示す、（ａ）は平面図であり、（ｂ）は側面側から見た断面図である。
【図２】図１の吐出具におけるノズル体を示す図であり、（ａ）は成形後の展開状態を示す平面図であり、（ｂ）はＡ−Ａ断面図である。
【図３】図１の吐出具におけるカバー部材を示す図であり、（ａ）は平面図（半図）であり、（ｂ）は側面側から見た断面図である。
【図４】図１の吐出具を用いてエアゾール容器の内容物を吐出する様子を示す側面側から見た断面図である。
【図５】本発明の第２実施形態に係る吐出具におけるノズル体を示す図であり、（ａ）は成形後の展開状態を示す平面図であり、（ｂ）はＤ−Ｄ断面図である。
【図６】本発明の第２実施形態に係る吐出具をエアゾール容器に装着した状態を示す、（ａ）は平面図であり、（ｂ）は側面側から見た断面図である。
【図７】本発明の第３実施形態に係る吐出具におけるノズル体を示す図であり、（ａ）は成形後の展開状態を示す平面図であり、（ｂ）はＥ−Ｅ断面図である。
【図８】本発明の第３実施形態に係る吐出具をエアゾール容器に装着した状態を示す、（ａ）は平面図であり、（ｂ）は側面側から見た断面図である。
【発明を実施するための形態】
【００１５】
以下、本発明の実施の形態を図面に基づき詳細に説明する。なお、本明細書、特許請求の範囲及び要約書において「前方」とは、ノズル体の吐出筒の先端（吐出口）が位置する側であり、「後方」とは、その反対側である。また、「左側」、「右側」とは、前方側から後方側に向かって見る際の左右方向をいう。そして「上方」とは、図１において、エアゾール容器に対してノズル体が位置する側であり、「下方」とは、その反対側である。
【００１６】
図１に示すように、本発明の第１実施形態である吐出具１は、エアゾール容器２に装着されるものであり、ステム２５に接続されて吐出筒３１の先端３１ａ（吐出口）から内容物を吐出するノズル体３と、ノズル体３を取り囲むカバー体４とを備える。
【００１７】
エアゾール容器２は、例えば合成樹脂製となる有底円筒状の容器本体２１に、例えば金属製となるマウンティングカップ２２の外縁を巻き締めして固着したものであって、容器本体２１の内側には２種類の内容物が別個に収容されている。本実施形態のマウンティングカップ２２は、容器本体２１に巻き締めした円環状部２３と、円環状部２３の上方に位置し、円周状の側面の一部を平面状にしたマウンティングカップ本体部２４とを有している。またエアゾール容器２は、それぞれの内容物の収容空間につながる総計２つのステム２５を有していて、２つのステム２５は、マウンティングカップ本体部２４から上方に向けて突出している。
【００１８】
ノズル体３は、図２（ａ）、（ｂ）にも示すように、吐出筒３１が設けられた上側部材３ａと、ステム２５に接続される一対のステム接続部３２が設けられた下側部材３ｂとを、薄肉状に形成されたヒンジ部３３を介して一体に連結したものである。なお、図２（ｂ）は、図２（ａ）に示すＡ−Ａ線で切断した場合の断面を示しており、図１、４においても、ノズル体３の断面は図２（ｂ）と同様の断面で示している。
【００１９】
ノズル体３は図２（ａ）、（ｂ）に示すような展開状態で射出成型等により成形され、ヒンジ部３３に沿って折り曲げて上側部材３ａに設けられた左右の爪部３４を、下側部材３ｂの前方側に設けた左右の係合部３５の孔３５ａに挿入して係合させることで、図１に示すような使用状態となる。なお、爪部３４と係合部３５の係合は解除可能であり、ノズル体３の洗浄時には、上側部材３ａと下側部材３ｂを開いた展開状態でノズル体３の内部を洗浄することができる。
【００２０】
ノズル体３は、図１に示す使用状態において、上側部材３ａと下側部材３ｂの間に、各ステム接続部３２と吐出筒３１とを連通させる内容物の流路を区画形成する。これにより、エアゾール容器２のステム２５は、ステム接続部３２とノズル体３内の流路を介して吐出筒３１に連通することとなる。なお、本実施形態では吐出筒３１内で２本のステム２５からの内容物が合流するする構成としているが、吐出筒３１の内部に２本の流路を形成して、吐出口まで内容物が合流しない構成としてもよい。一対のステム接続部３２は、それぞれ円筒状に形成されてステム２５に嵌合することで、ステム２５に対して着脱自在に装着される。
【００２１】
図１に示すように、本実施形態のカバー体４は、エアゾール容器２のマウンティングカップ２２に装着される固定盤５と、固定盤５に着脱自在に装着されるカバー部材６とで構成されている。
【００２２】
固定盤５は、図１、４に示すように、中央部に開口を設けた上壁５１と、マウンティングカップ本体部２４の側面を取り囲む略円筒状の側壁５２とを備えている。本実施形態の側壁５２は、マウンティングカップ本体部２４の側面における平面状の部位に対応する位置に平坦部５２ａを有していて、マウンティングカップ本体部２４に対して回転しないようにしている。また側壁５２の下部には、径方向外側に向けて延在するフランジ５３を設けていて、フランジ５３の下部には、円環状部２３を取り囲んで円環状部２３に抜け止め保持される嵌合壁５４を設けている。またフランジ５３の外縁部には、下方に延在する円筒状の外側壁５５を設けている。
【００２３】
カバー部材６は、図１、３に示すように、固定盤５を取り囲む筒状の周壁６１と、周壁６１の上部に連なり、ステム２５を突出させる開口６２ａを有する隔壁６２と、隔壁６２の左右両側から上方に延びる内側側壁６３とを備える。周壁６１には、固定盤５の平坦部５２ａに対応する平坦壁部６１ａが設けられており、カバー部材６及び固定盤５の相対的な周方向の位置を合わせることができるとともに、相対的な回転を防止している。
【００２４】
隔壁６２には、前方側から上方に延びる左右一対の柱部６４が設けられ、柱部６４の上部には、薄肉状のヒンジ部６５を介して操作片６６が揺動自在に一体連結されている。柱部６４は、吐出筒３１を挟む左右両側に配置されている。操作片６６には、ノズル体３の吐出筒３１を通過させるための切欠き状の開口部６６ａが形成されている。また、操作片６６の下面には、略球面上の凸部６７が設けられている。凸部６７は、操作片６６を押し下げた際にノズル体３の上面に設けた左右一対の、略球面状の凹部３６に入り込んでノズル体３を押し下げるための構成である。凸部６７及び凹部３６は、図１（ａ）（ｂ）に示す装着状態において各ステム２５の真上となる位置に設けられている。また、操作片６６の後方側には、前方側よりも左右方向の幅が狭い押圧部６６ｂが操作片６６の左右方向の中央に配置されている。
【００２５】
隔壁６２には、内縁部から上下方向に延びてノズル体３の外側面に対向するガイド部６８が設けられている。ガイド部６８は、ノズル体３の前方側の吐出筒３１及び係合部３５と、後方側のヒンジ部３３の領域を除いた左右両側の湾曲する外側面に沿って隣接配置され、ノズル体３が上下動する際の前後左右方向へのガタつきを防止して、ノズル体３及びステム２５の動作の安定性を高めている。
【００２６】
内側側壁６３は、ノズル体３及び操作片６６を挟んで左右両側に位置するものであり、それぞれの内側側壁６３には、内面から突出して操作片６６に係合するストッパー部６９が設けられている。ストッパー部６９は、操作片６６を開閉する際に乗り越え可能に操作片６６に当接するものであり、容器を傾けた場合などにおいて意図せず操作片６６が開くことを防止することができる。なお、本実施形態ではカバー部材６が固定盤５に対して、爪と孔との嵌合により着脱可能に装着される構成としているが、これに限定されるものではなく、例えば、固定盤５を設けずにカバー部材６を直接エアゾール容器２のマウンティングカップ２２に装着する構成とすることも可能である。
【００２７】
ここで、上記構成の吐出具１をエアゾール容器２にセットする際には、予めノズル体３をカバー部材６に仮セットしたものをエアゾール容器２に固定した固定盤５に装着してもよいし、カバー部材６を予めエアゾール容器２に固定した固定盤５に装着した後で、操作片６６を開いてノズル体３を後から取付けてもよい。ノズル体３を予めカバー部材６に仮セットする場合、操作片６６を開いた展開状態で吐出筒３１を切欠き状の開口部６６ａに合わせるようにして挿入し、ノズル体３をガイド部６８の内側に配置した後、操作片６６を反転させて閉じることで、ノズル体３が抜け止め保持される。操作片６６はストッパー部６９によって開き難くなっていることでより脱落し難くなっている。
【００２８】
また、ノズル体３はカバー部材６のガイド部６８によって位置決めされているため、カバー部材６の平坦壁部６１ａを固定盤５の平坦部５２ａに合わせて装着するだけで、一対のステム接続部３２が各ステム２５の位置に配置されるため、セットが容易である。
【００２９】
内容物を吐出する際には、操作片６６の押圧部６６ｂを押し下げることで、図４に示すように操作片６６の一対の凸部６７の外面がノズル体３の各凹部３６の内面に当接してノズル体３が押し下げられる。本実施形態では、凸部６７及び凹部３６を各ステム２５の真上となる位置に配置したことにより、ステム２５の真上から押圧力を加えることができるので、ノズル体３及びステム２５の動作が安定し易くなる。そのため、各ステム２５から吐出される内容物のバランスを安定させることが可能となる。特に、操作片６６への押圧力が小さい場合には吐出量が不安定になり易いものの、本発明によればステム２５がスムーズに押し下げ易くなるため、各ステム２５から適切な吐出量のバランスで内容物を吐出することができる。また、本実施形態では押圧部６６ｂの幅を前方側よりも狭くし、当該押圧部６６ｂを操作片６６の左右方向の中央に配置したことにより、さらに左右のステム２５に均等に力を伝え易くなっている。
【００３０】
ここで、ヒンジ部６５は、操作片６６を押し下げる際に操作片６６とノズル体３とが最初に当接する接点（図４のＢ点）と、最大まで操作片６６を押し下げた状態での操作片６６とノズル体３との接点（図４のＣ点）との中間点の高さ（上下方向の位置）に配置されている。言い換えれば、操作片６６を押し下げる際に操作片６６とノズル体３とが最初に当接する接点（図４のＢ点）から、ステム２５の最大押し下げ距離（ストローク）の半分の距離だけ下方に移動した高さにヒンジ部６５を配置している。これにより、操作片６６の揺動によりノズル体３がステム２５の中心軸線に平行な軸線方向に押し下げられ易くなるため、よりスムーズにステム２５を押し下げることができる。
【００３１】
なお、本実施形態においては、ノズル体３の凹部３６の曲率半径が操作片６６の凸部６７の曲率半径よりも大きいことが好ましく、これによれば、ステム２５の真上に押圧力が加わり易くなり、ステム２５をよりスムーズに安定した状態で押し下げることができる。
【００３２】
以上のような構成の吐出具１にあっては、カバー部材６に揺動自在に設けられた操作片６６に、ノズル体３の形状に合わせた開口部６６ａを形成したことにより、カバー部材６をエアゾール容器２から取外すことなく、容易にノズル体３のみを取り外すことができる。そのため、容易にノズル体３を取り外して洗浄することができる。また本実施形態では、ノズル体３の上側部材３ａと下側部材３ｂを、解除可能な爪部３４と係合部３５で係合保持しているため、ノズル体３を取り外した後で上側部材３ａと下側部材３ｂを開いてノズル体３の内部を洗浄することができ、ノズル体３をより清潔に保つことができる。
【００３３】
以下に、本発明の他の実施形態について説明する。なお、先の第１実施形態と同一又は対応する構成については、同一の符号で表し、説明を省略する。
【００３４】
図５、６は、本発明の第２実施形態を示している。図５（ａ）、（ｂ）に示すノズル体１０３は、第１実施形態におけるノズル体３の爪部３４と係合部３５を設けずに、上側部材３ａと下側部材３ｂとを超音波接着することにより開閉不能に接合した構成としたものである。なお、図５（ａ）は射出成型等により成形した展開状態を示しており、図５（ｂ）は、図５（ａ）のＤ−Ｄ断面図である。本実施形態にあっては、爪部３４と係合部３５を設けないことにより、図６（ａ）に示すように、ノズル体１０３の外周面のより広い範囲を取り囲むガイド部６８を設けることができる。これにより、ノズル体１０３のガタつきをさらに抑制して、ノズル体１０３及びステム２５の動作安定性をさらに高めることができる。また、カバー部材６に対するノズル体１０３の位置が安定するため、セット時の位置合わせの精度を高めることができ、セット性も向上する。なお、本実施形態においても、第１実施形態と同様に、操作片６６を開くことで、カバー部材６を取り外すことなく容易にノズル体１０３を取外すことができる（図６（ｂ）参照）。
【００３５】
図７、８は、本発明の第３実施形態を示している。図７（ａ）、（ｂ）に示す本実施形態のノズル体２０３は、それぞれがステム接続部３２とステム接続部３２に連なる吐出筒３１とを有する第１ノズル体２０３ａと第２ノズル体２０３ｂとを、連結片３７を介して一体連結した構成としている。なお、図７（ａ）は射出成型等により成形した状態を示しており、図７（ｂ）は、図７（ａ）のＥ−Ｅ断面図である。
【００３６】
本実施形態においては、エアゾール容器２の各ステム２５からの内容物は、吐出筒３１の先端３１ａから吐出されるまで混合されない。図８（ａ）、（ｂ）に示すように、第１ノズル体２０３ａと第２ノズル体２０３ｂのそれぞれに、外周面を取り囲むガイド部６８を設けることで、ノズル体２０３及びステム２５の動作を安定させることができる。本実施形態においても、第１実施形態と同様に、操作片６６を開くことで、カバー部材６を取り外すことなく容易にノズル体２０３を取外すことができる（図６（ｂ）参照）なお、第１ノズル体２０３ａと第２ノズル体２０３ｂとを別体として形成してもよい。
【符号の説明】
【００３７】
１  吐出具
２  エアゾール容器
３、１０３、２０３  ノズル体
３ａ  上側部材
３ｂ  下側部材
４  カバー体
５  固定盤
６  カバー部材
２１  容器本体
２２  マウンティングカップ
２３  円環状部
２４  マウンティングカップ本体部
２５  ステム
３１  吐出筒
３１ａ  先端
３２  ステム接続部
３３  ヒンジ部
３４  爪部
３５  係合部
３５ａ  孔
３６  凹部
３７  連結片
５１  上壁
５２  側壁
５２ａ  平坦部
５３  フランジ
５４  嵌合壁
５５  外側壁
６１  周壁
６１ａ  平坦壁部
６２  隔壁
６２ａ  開口
６３  内側側壁
６４  柱部
６５  ヒンジ部
６６  操作片
６６ａ  開口部
６６ｂ  押圧部
６７  凸部
６８  ガイド部
６９  ストッパー部
【図１】
2017030801.tif 000003
【図２】
2017030801.tif 000004
【図３】
2017030801.tif 000005
【図４】
2017030801.tif 000006
【図５】
2017030801.tif 000007
【図６】
2017030801.tif 000008
【図７】
2017030801.tif 000009
【図８】
2017030801.tif 000010